(57)【特許請求の範囲】
【請求項１】
肉厚部と、前記肉厚部によって区画された少なくともクラウン側の周辺部とソール側の周辺部を備えたフェース部を有し、
前記肉厚部は、前記フェース部の中央をトゥ・ヒール方向に延びている第一の水平リブ部と、前記第一の水平リブ部のクラウン側に位置し、前記第一の水平リブ部に平行に延びている第二の水平リブ部と、前記第一の水平リブ部のソール側に位置し、前記第一の水平リブ部に平行に延びている第三の水平リブ部と、前記第一の水平リブ部の両端から外側に斜め上方に延びている二つの第一の上方傾斜リブ部と、前記第一の水平リブ部の両端から外側に斜め下方に延びている二つの第一の下方傾斜リブ部と、前記第二の水平リブ部の両端から外側に斜め上方に延びている二つの第二の上方傾斜リブ部と、前記第三の水平リブ部の両端から外側に斜め下方に延びている二つの第二の下方傾斜リブ部を有し、前記第一の水平リブ部の肉厚は、前記第二の水平リブ部の肉厚と前記第三の水平リブ部の肉厚のいずれよりも小さいゴルフクラブヘッド。
【請求項２】
前記第一の水平リブ部の肉厚は、前記クラウン側の周辺部の肉厚と前記ソール側の周辺部の肉厚のいずれよりも大きい請求項１に記載のゴルフクラブヘッド。
【請求項３】
前記フェース部は、前記肉厚部によって区画されたトゥ側の周辺部とヒール側の周辺部をさらに備え、前記第一の水平リブ部の肉厚は、前記トゥ側の周辺部の肉厚と前記ヒール側の周辺部の肉厚のいずれよりも大きい請求項１または２に記載のゴルフクラブヘッド。
【請求項４】
前記第二の水平リブ部の肉厚は、前記第三の水平リブ部の肉厚に等しいか、それよりも大きく、前記クラウン側の周辺部の肉厚は、前記ソール側の周辺部の肉厚に等しいか、それよりも大きい請求項１〜３のいずれかひとつに記載のゴルフクラブヘッド。
【請求項５】
前記第一の水平リブ部と前記第二の水平リブ部の肉厚差の絶対値と前記第一の水平リブ部と前記第三の水平リブ部の肉厚差の絶対値のいずれか大きい方が、前記第一の水平リブ部と前記トゥ側の周辺部の肉厚差の絶対値と前記第一の水平リブ部と前記ヒール側の周辺部の肉厚差の絶対値のいずれか小さい方よりも小さい請求項４に記載のゴルフクラブヘッド。
【発明の詳細な説明】
【技術分野】
【０００１】
本発明は、ゴルフクラブヘッドに関する。
【背景技術】
【０００２】
一般にゴルフクラブには、飛距離の向上と方向性向上が望まれている。飛距離の向上のために、ゴルフクラブヘッドは、フェース部の広い範囲にわたって高反発性であることが好ましい。また方向性向上のために、ゴルフクラブヘッドは、打球時の挙動が安定していることが好ましい。
【０００３】
このためウッドタイプのゴルフクラブヘッドでは、大容量化と低重心化が進められている。大容量化は、高反発領域の拡大に寄与するとともに、打点ずれの相対量の低下に貢献する。また低重心化は、慣性モーメントの増大に寄与し、打球時の挙動の安定性向上に貢献する。
【０００４】
ゴルフクラブヘッドの全体の重量において、フェース部の重量が占める割合は非常に大きい。フェース部の軽量化は、それにより得られる余剰重量の大容量化と低重心化への利用が大きく見込めるため、大きな課題である。
【０００５】
ゴルフクラブヘッドのフェース部は、高反発性と軽量化のために肉厚が薄いことが好ましい。その一方で、十分な強度を確保するために、それなりの肉厚を必要とする。このような二律背反の要求に応えるものとして、フェース部の中央部をその周辺部に比べて厚く形成したフェース構造が知られている。これに加えて、剛性の向上を図って、中央部から外側に向かって延びる複数のリブを設けたフェース構造も知られている。
【０００６】
また、ゴルフクラブは、打点ずれによる飛距離の低下が小さいものが、一般にすなわち多くの人に好まれ、また望まれている。
【先行技術文献】
【特許文献】
【０００７】
【特許文献１】特開２００２−３３１０５１号公報
【特許文献２】特開２００５−３１２９５４号公報
【特許文献３】特開２００８−２５３５６４号公報
【発明の概要】
【発明が解決しようとする課題】
【０００８】
ウッドタイプのゴルフクラブヘッドでは、その重心位置はフェース部から後方に比較的離れている。このため、クラウン側またはソール側に芯を外して打球した際にギヤ効果によって飛距離が低下することが知られている。具体的には、フェース部の中心すなわちスイートスポットよりもソール側で打球した際には、打球時にゴルフクラブヘッドが重心の周りにクラウン側からソール側に回転するため、ボールに過度のバックスピンがかかり、ボールの飛距離が低下する。これとは反対に、スイートスポットよりもクラウン側で打球した際には、打球時にゴルフクラブヘッドが重心の周りにソール側からクラウン側に回転するため、ボールのバックスピンが適正量よりも減り、ボールの飛距離が低下する。
【０００９】
本発明は、このようなクラウン側またはソール側に芯を外して打球した際のギヤ効果による飛距離低下が抑えられたゴルフクラブヘッドを提供することを目的とする。
【課題を解決するための手段】
【００１０】
本発明によるゴルフクラブヘッドは、フェース部が、肉厚部と、前記肉厚部によって区画された少なくともクラウン側の周辺部とソール側の周辺部を備えている。前記肉厚部は、前記フェース部の中央をトゥ・ヒール方向に延びている第一の水平リブ部と、前記第一の水平リブ部のクラウン側に位置し、前記第一の水平リブ部に平行に延びている第二の水平リブ部と、前記第一の水平リブ部のソール側に位置し、前記第一の水平リブ部に平行に延びている第三の水平リブ部を有している。前記肉厚部はさらに、前記第一の水平リブ部の両端から外側に斜め上方に延びている二つの第一の上方傾斜リブ部と、前記第一の水平リブ部の両端から外側に斜め下方に延びている二つの第一の下方傾斜リブ部と、前記第二の水平リブ部の両端から外側に斜め上方に延びている二つの第二の上方傾斜リブ部と、前記第三の水平リブ部の両端から外側に斜め下方に延びている二つの第二の下方傾斜リブ部を有している。前記第一の水平リブ部の肉厚は、前記第二の水平リブ部の肉厚と前記第三の水平リブ部の肉厚のいずれよりも小さい。
【発明の効果】
【００１１】
本発明によれば、クラウン側またはソール側に芯を外して打球した際のギヤ効果による飛距離低下が抑えられたゴルフクラブが提供される。
【図面の簡単な説明】
【００１２】
【図１】実施形態に係るゴルフクラブを示している。
【図２】図１のゴルフクラブヘッドをフェース部側から見た平面図である。
【図３】図２のＡ−Ａ線に沿った図２のゴルフクラブヘッドの断面を示している。
【図４】図２のＢ−Ｂ線に沿った図２のゴルフクラブヘッドの断面を示している。
【図５】図３のＣ−Ｃ線に沿った図２のゴルフクラブヘッドの断面を示している。
【図６】図５のＤ−Ｄ線に沿ったフェース部の断面を示している。
【図７】図５のＥ−Ｅ線に沿ったフェース部の断面を示している。
【図８】オフセンターヒットにおけるゴルフクラブヘッドとボールの挙動を示している。
【図９】実施形態に係る別の構造のゴルフクラブヘッドの断面を示している。
【発明を実施するための形態】
【００１３】
以下、図面を参照しながら本発明の実施形態について説明する。
【００１４】
図１に、実施形態に係るゴルフクラブ１０を示す。ゴルフクラブ１０は、ウッドクラブであり、中空構造のゴルフクラブヘッド１２と、ゴルフクラブヘッド１２に接続されたシャフト１４と、ゴルフクラブヘッド１２の反対側のシャフト１４の端部に設けられたグリップ１６とを備えている。ゴルフクラブ１０は、たとえばドライバーウッドクラブ、フェアウェイウッドクラブやユーティリティクラブである。シャフト１４は、たとえば繊維強化樹脂製やスチール製である。グリップ１６は、ゴムなどの柔軟部材で形成されている。
【００１５】
図１に示されたゴルフクラブヘッド１２を図２に示す。ゴルフクラブヘッド１２は、ボールを打つためのフェース部２２と、上側に位置するクラウン部２４と、クラウン部２４の下側に位置するソール部２６と、シャフト１４（図１参照）が接続されるホーゼル部２８を備えている。ここで、上下の位置関係は、ゴルフクラブヘッド１２が適正なライ角とロフト角で配置された状態を想定している。フェース部２２とクラウン部２４とソール部２６とホーゼル部２８は互いに接続されており、中空構造体を構成している。ゴルフクラブヘッド１２は、たとえば金属製であり、チタン合金やステンレス合金で形成される。ゴルフクラブヘッド１２はまた、少なくともフェース部２２とソール部２６が金属で形成されていればよく、そのほかの部分はたとえば繊維強化樹脂で形成されてもよい。ゴルフクラブヘッド１２は、たとえば、容積が２００〜５００ｃｃであり、重量が１５０〜２５０ｇである。クラウン部２４とソール部２６は、フェース部２２に比べて肉薄に形成されている。フェース部２２は、トゥ・ヒール方向に互いに平行に延びる複数のスコアライン２２ｓを有している。各スコアライン２２ｓは、フェース部２２に刻まれた横溝からなる。
【００１６】
［構造例１］
以下、ゴルフクラブヘッド１２のより具体的な構造について説明する。図１と図２に示されるゴルフクラブヘッド１２の一つの例として、カップ状のフェース部材を備えたゴルフクラブヘッド１２Ａを図３〜図８に示す。
【００１７】
図３〜図７に示されるように、ゴルフクラブヘッド１２Ａは、カップ状のフェース部材３２と、ヘッド本体３４から構成されている。フェース部材３２とヘッド本体３４は縁同士が合わせられており、それらの境界の全周にわたって形成された溶接ビード３６によって互いに固定されている。このゴルフクラブヘッド１２Ａでは、フェース部材３２が、図２に示されるフェース部２２を構成している。
【００１８】
図３〜図５に示されるように、フェース部材３２は、フェース面領域２２ａに、肉厚部４２と、肉厚部４２によって区画された四つの周辺部４４Ｃ，４４Ｓ，４４Ｔ，４４Ｈを有している。ここで、フェース面領域２２ａとは、ボールを前方に飛ばすために常識的にボールが当たると想定される領域を意味しており、スコアライン２２ｓの形成領域を包含している。
【００１９】
〔各部の位置関係〕
肉厚部４２の中心はゴルフクラブヘッド１２Ａのスイートスポットに実質的に一致している。肉厚部４２は、ほぼ「Ｈ」字形状をしており、より詳しくは、上端と下端が外に広がった「Ｈ」字形状をしている。
【００２０】
四つの周辺部４４Ｃ，４４Ｓ，４４Ｔ，４４Ｈは、ほぼ「Ｈ」字形状の肉厚部４２によって区画されており、周辺部４４Ｔは肉厚部４２のトゥ側に位置し、周辺部４４Ｈは肉厚部４２のヒール側に位置し、周辺部４４Ｃは肉厚部４２のクラウン側に位置し、周辺部４４Ｓは肉厚部４２のソール側に位置している。
【００２１】
肉厚部４２は、複合リブ構造をしており、複数のリブ５２，５６Ｃ，５６Ｓと、リブ５２，５６Ｃ，５６Ｓの相互間に位置するテーパー部５４Ｃ，５４Ｓと、リブ５２，５６Ｃ，５６Ｓの外側に位置するテーパー部５８Ｃ，５８Ｓ，５８Ｔ，５８Ｈを有している。
【００２２】
リブ５２は、肉厚部４２の輪郭に沿って延びている。すなわち、リブ５２は、肉厚部４２と同様に、ほぼ「Ｈ」字形状、より詳しくは、上端と下端が外に広がった「Ｈ」字形状をしている。したがって、リブ５２は、フェース部２２の中央をトゥ・ヒール方向に帯状に延びている水平リブ部５２ａと、水平リブ部５２ａの両端から外側に斜め上方に延びている二つの傾斜リブ部５２ｂと、水平リブ部５２ａの両端から外側に斜め下方に延びている二つの傾斜リブ部５２ｃを有している。
【００２３】
リブ５６Ｃは、リブ５２のクラウン側に位置し、リブ５２に沿って延びている。より詳しくは、リブ５６Ｃは、リブ５２の水平リブ部５２ａと二つの傾斜リブ部５２ｂに沿って延びている。つまり、リブ５６Ｃは、ほぼ「Ｕ」字形状、より詳しくは、上端が外に広がった「Ｕ」字形状をしている。したがって、リブ５６Ｃは、トゥ・ヒール方向に帯状に延びている水平リブ部５６Ｃａと、水平リブ部５６Ｃａの両端から外側に斜め上方に延びている二つの傾斜リブ部５６Ｃｂを有している。水平リブ部５６Ｃａは、水平リブ部５２ａから間隔を置いて、水平リブ部５２ａに実質的に平行に延びている。二つの傾斜リブ部５６Ｃｂは、それぞれ、二つの傾斜リブ部５２ｂから間隔を置いて、二つの傾斜リブ部５２ｂに実質的に平行に延びている。
【００２４】
また、リブ５６Ｓは、リブ５２のソール側に位置し、リブ５２に沿って延びている。より詳しくは、リブ５６Ｓは、リブ５２の水平リブ部５２ａと二つの傾斜リブ部５２ｃに沿って延びている。つまり、リブ５６Ｓは、ほぼ逆「Ｕ」字形状、より詳しくは、下端が外に広がった逆「Ｕ」字形状をしている。したがって、リブ５６Ｓは、トゥ・ヒール方向に帯状に延びている水平リブ部５６Ｓａと、水平リブ部５６Ｓａの両端から外側に斜め下方に延びている二つの傾斜リブ部５６Ｓｂを有している。水平リブ部５６Ｓａは、水平リブ部５２ａから間隔を置いて、水平リブ部５２ａに実質的に平行に延びている。二つの傾斜リブ部５６Ｓｂは、それぞれ、二つの傾斜リブ部５２ｃから間隔を置いて、二つの傾斜リブ部５２ｃに実質的に平行に延びている。
【００２５】
テーパー部５４Ｃは、リブ５２とリブ５６Ｃの間に延びている。つまり、テーパー部５４Ｃは、ほぼ「Ｕ」字形状、より詳しくは、上端が外に広がった「Ｕ」字形状をしている。
【００２６】
また、テーパー部５４Ｓは、リブ５２とリブ５６Ｓの間に延びている。つまり、テーパー部５４Ｓは、ほぼ逆「Ｕ」字形状、より詳しくは、下端が外に広がった逆「Ｕ」字形状をしている。
【００２７】
テーパー部５８Ｃは、リブ５６Ｃのクラウン側に位置し、リブ５６Ｃに沿って延びている。つまり、テーパー部５８Ｃは、ほぼ「Ｕ」字形状、より詳しくは、上端が外に広がった「Ｕ」字形状をしている。
【００２８】
テーパー部５８Ｓは、リブ５６Ｓのソール側に位置し、リブ５６Ｓに沿って延びている。つまり、テーパー部５８Ｓは、ほぼ逆「Ｕ」字形状、より詳しくは、下端が外に広がった逆「Ｕ」字形状をしている。
【００２９】
テーパー部５８Ｔは、リブ５２のトゥ側に位置し、リブ５２に沿って延びている。より詳しくは、テーパー部５８Ｔは、トゥ側に位置する二つの傾斜リブ部５２ｂ，５２ｃに沿って延びている。つまり、テーパー部５８Ｔは、ほぼ「く」の字形状をしている。
【００３０】
テーパー部５８Ｈは、リブ５２のヒール側に位置し、リブ５２に沿って延びている。より詳しくは、テーパー部５８Ｈは、ヒール側に位置する二つの傾斜リブ部５２ｂ，５２ｃに沿って延びている。つまり、テーパー部５８Ｈは、ほぼ逆「く」の字形状をしている。
【００３１】
〔各部の肉厚〕
周辺部４４Ｃ，４４Ｓ，４４Ｔ，４４Ｈは、高反発領域拡大と軽量化のために、比較的肉薄に形成されている。周辺部４４Ｃ，４４Ｓ，４４Ｔ，４４Ｈは、いずれも実質的に均一の肉厚を有している。
【００３２】
肉厚部４２は、打球時の衝撃に対する強度を確保するために、比較的肉厚に形成されている。リブ５２，５６Ｃ，５６Ｓはいずれも実質的に均一の肉厚を有しており、テーパー部５４Ｃ，５４Ｓ，５８Ｃ，５８Ｓ，５８Ｔ，５８Ｈは肉厚が単調に変化している。
【００３３】
図６に示されるように、リブ５２，５６Ｃ，５６Ｓのそれぞれの肉厚ｔ１，ｔ２，ｔ３はいずれも、周辺部４４Ｃ，４４Ｓのそれぞれの肉厚ｔ４，ｔ５のいずれよりも大きい。中央のリブ５２の肉厚ｔ１は、クラウン側のリブ５６Ｃの肉厚ｔ２よりも小さく、またソール側のリブ５６Ｓの肉厚ｔ３よりも小さい。クラウン側のリブ５６Ｃの肉厚ｔ２とソール側のリブ５６Ｓの肉厚ｔ３は、たとえば、ｔ２≧ｔ３の関係を満足している。すなわち、クラウン側のリブ５６Ｃの肉厚ｔ２は、ソール側のリブ５６Ｓの肉厚ｔ３に等しいか、それよりも大きい。また、クラウン側の周辺部４４Ｃの肉厚ｔ４とソール側の周辺部４４Ｓの肉厚ｔ５は、たとえば、ｔ４≧ｔ５の関係を満足している。すなわち、クラウン側の周辺部４４Ｃの肉厚ｔ４は、ソール側の周辺部４４Ｓの肉厚ｔ５に等しいか、それよりも大きい。
【００３４】
さらに、図７に示されるように、ソール側の周辺部４４Ｓの肉厚ｔ５は、トゥ側の周辺部４４Ｔの肉厚ｔ６よりも大きい。図示しないが、ヒール側の周辺部４４Ｔの肉厚は、トゥ側の周辺部４４Ｔの肉厚ｔ６に実質的に等しい。つまり、ソール側の周辺部４４Ｓの肉厚ｔ５はまた、ヒール側の周辺部４４Ｔの肉厚よりも大きい。
【００３５】
以上をまとめると、リブ５２，５６Ｃ，５６Ｓと周辺部４４Ｃ，４４Ｓ，４４Ｔ（，４４Ｈ）のそれぞれの肉厚ｔ１，ｔ２，ｔ３，ｔ４，ｔ５，ｔ６は、ｔ２≧ｔ３＞ｔ１＞ｔ４≧ｔ５＞ｔ６の関係を満足している。
【００３６】
さらに、リブ５２とリブ５６Ｃの肉厚差の絶対値とリブ５２とリブ５６Ｓの肉厚差の絶対値のいずれか大きい方（すなわちリブ５２とリブ５６Ｃの肉厚差の絶対値）が、リブ５２とトゥ側の周辺部４４Ｔの肉厚差の絶対値とリブ５２とヒール側の周辺部４４Ｈの肉厚差の絶対値のいずれか小さい方よりも小さい。
【００３７】
すなわち、ここで（図示しないが）周辺部４４Ｈの肉厚をｔ７とすると、リブ５２，５６Ｃ，５６Ｓと周辺部４４Ｃ，４４Ｓ，４４Ｔ，４４Ｈのそれぞれの肉厚ｔ１，ｔ２，ｔ３，ｔ４，ｔ５，ｔ６，ｔ７は、ＭＡＸ（｜ｔ２−ｔ１｜，｜ｔ３−ｔ１｜）＜ＭＩＮ（｜ｔ１−ｔ６｜，｜ｔ１−ｔ７｜）の関係を満足している。
【００３８】
テーパー部５４Ｃは、リブ５２とリブ５６Ｃの間の肉厚移行部分であり、テーパー部５４Ｃの肉厚は、リブ５２の肉厚ｔ１とリブ５６Ｃの肉厚ｔ２の間で、単調に、たとえば一定の割合で変化している。つまり、テーパー部５４Ｃは、リブ５２とリブ５６Ｃの表面の縁同士をつなぐテーパー面を有している。
【００３９】
テーパー部５４Ｓは、リブ５２とリブ５６Ｓの間の肉厚移行部分であり、テーパー部５４Ｓの肉厚は、リブ５２の肉厚ｔ１とリブ５６Ｓの肉厚ｔ３の間で、単調に、たとえば一定の割合で変化している。つまり、テーパー部５４Ｓは、リブ５２とリブ５６Ｓの表面の縁同士をつなぐテーパー面を有している。
【００４０】
テーパー部５８Ｃは、リブ５６Ｃと周辺部４４Ｃの間の肉厚移行部分であり、テーパー部５８Ｃの肉厚は、リブ５６Ｃの肉厚ｔ２と周辺部４４Ｃの肉厚ｔ４の間で、単調に、たとえば一定の割合で変化している。つまり、テーパー部５８Ｃは、リブ５６Ｃと周辺部４４Ｃの表面の縁同士をつなぐテーパー面を有している。
【００４１】
テーパー部５８Ｓは、リブ５６Ｓと周辺部４４Ｓの間の肉厚移行部分であり、テーパー部５８Ｓの肉厚は、リブ５６Ｓの肉厚ｔ３と周辺部４４Ｓの肉厚ｔ５の間で、単調に、たとえば一定の割合で変化している。つまり、テーパー部５８Ｓは、リブ５６Ｓと周辺部４４Ｓの表面の縁同士をつなぐテーパー面を有している。
【００４２】
テーパー部５８Ｔは、リブ５２と周辺部４４Ｔの間の肉厚移行部分であり、テーパー部５８Ｔの肉厚は、リブ５２の肉厚ｔ１と周辺部４４Ｔの肉厚ｔ６の間で、単調に、たとえば一定の割合で変化している。つまり、テーパー部５８Ｔは、リブ５２と周辺部４４Ｔの表面の縁同士をつなぐテーパー面を有している。
【００４３】
テーパー部５８Ｈは、リブ５２と周辺部４４Ｈの間の肉厚移行部分であり、テーパー部５８Ｈの肉厚は、リブ５２の肉厚ｔ１と周辺部４４Ｈの肉厚の間で、単調に、たとえば一定の割合で変化している。つまり、テーパー部５８Ｈは、リブ５２と周辺部４４Ｈの表面の縁同士をつなぐテーパー面を有している。
【００４４】
〔作用効果〕
図８に示されるように、フェース部２２の肉厚部４２の中央よりもクラウン側で打球されたボールＢ１には、バックスピンＳ１がかかる。このとき、ゴルフクラブヘッド１２Ａは、打球の衝撃によって重心Ｇの周りに矢印Ｒ１で示される方向すなわちソール側からクラウン側の方向に回転する。このため、ボールＢ１は、ゴルフクラブヘッド１２Ａによるギヤ効果による回転力Ｈ１を受ける。この回転力Ｈ１は、ボールＢ１のバックスピンＳ１を減少させる方向に働く。これは、ボールＢ１のバックスピンＳ１を適正量よりも減少させ、ボールＢ１の上昇を阻害し、ボールＢ１の飛距離を低下させる要因である。
【００４５】
ゴルフクラブヘッド１２Ａは、肉厚部４２の中央をトゥ・ヒール方向に延びる水平リブ部５２ａがクラウン側の水平リブ部５６Ｃａとソール側の水平リブ部５６Ｓａに比べて肉薄に形成されている。このため、フェース部２２は、打球時に、水平リブ部５２ａに沿って曲がる。その結果、ボールＢ１は、フェース部２２のギヤ効果による回転力Ｆ１を受ける。この回転力Ｆ１は、ボールＢ１のバックスピンＳ１を増加させる方向に働く。つまり、回転力Ｆ１は、ゴルフクラブヘッド１２Ａのギヤ効果によるバックスピンＳ１の不所望な減少を抑える。したがって、クラウン側への打点ずれによるボールＢ１の飛距離の低下が小さく抑えられる。
【００４６】
また、フェース部２２の肉厚部４２の中央よりもソール側で打球されたボールＢ２には、バックスピンＳ２がかかる。このとき、ゴルフクラブヘッド１２Ａは、打球の衝撃によって重心Ｇの周りに矢印Ｒ２で示される方向すなわちクラウン側からソール側の方向に回転する。このため、ボールＢ２は、ゴルフクラブヘッド１２Ａによるギヤ効果による回転力Ｈ２を受ける。この回転力Ｈ２は、ボールＢ２のバックスピンＳ２を増加させる方向に働く。これは、ボールＢ２のバックスピンＳ２を過度に増加させ、ボールＢ２を過度に上昇させ、結果的にボールＢ２の飛距離を低下させる要因である。
【００４７】
ゴルフクラブヘッド１２Ａは、肉厚部４２の中央をトゥ・ヒール方向に延びる水平リブ部５２ａがクラウン側の水平リブ部５６Ｃａとソール側の水平リブ部５６Ｓａに比べて肉薄に形成されている。このため、フェース部２２は、打球時に、水平リブ部５２ａに沿って曲がり、ボールＢ２は、フェース部２２のギヤ効果による回転力Ｆ２を受ける。この回転力Ｆ２は、ボールＢ２のバックスピンＳ２を減少させる方向に働く。つまり、回転力Ｆ２は、ゴルフクラブヘッド１２Ａのギヤ効果によるバックスピンＳ２の不所望な増加を抑える。したがって、ソール側への打点ずれによるボールＢ２の飛距離の低下が小さく抑えられる。
【００４８】
このように、ゴルフクラブヘッド１２Ａでは、クラウン側への打点ずれに対しても、ソール側への打点ずれに対しても、ボールのバックスピンの不所望な増加と減少が防止され、ボールのバックスピンが適正量に維持されるため、ギヤ効果による飛距離の低下が小さく抑えられる。
【００４９】
また、一般に、ウッドタイプのゴルフクラブヘッドでは、フェース部の縦寸法（クラウン・ヒール方向の寸法）はフェース部の横寸法（トゥ・ヒール方向の寸法）に比べて小さい。このため、フェース部の反発性がクラウン・ヒール側に比べてトゥ・ヒール側において低くなる傾向がある。
【００５０】
また、フェース部の横寸法は、クラウン側で大きく、ソール側で小さい。このため、フェース部の反発性は、クラウン側に比べてソール側において低くなる傾向がある。
【００５１】
これに対して、ゴルフクラブヘッド１２Ａでは、トゥ側の周辺部４４Ｔとヒール側の周辺部４４Ｈが、肉厚部４２とクラウン側の周辺部４４Ｃとソール側の周辺部４４Ｓのいずれよりも肉薄に形成されているので、トゥ・ヒール側における反発性の低下が良好に抑えられている。言い換えれば、高反発領域がトゥ側とヒール側に拡大されている。
【００５２】
また、ゴルフクラブヘッド１２Ａでは、クラウン側の周辺部４４Ｃの肉厚が、ソール側の周辺部４４Ｓの肉厚に等しいか、それよりも大きく、また、クラウン側のリブ５６Ｃの肉厚が、ソール側のリブ５６Ｓの肉厚に等しいか、それよりも大きい。これにより、フェース部の反発性がクラウン側に比べてソール側において低くなる傾向が抑えられている。
【００５３】
したがって、ゴルフクラブヘッド１２Ａを備えたゴルフクラブ１０においては、打点ずれに伴う反発性低下に起因する飛距離低下とギヤ効果に起因する飛距離低下が共に抑えられている。
【００５４】
［構造例２］
図１と図２に示されるゴルフクラブヘッド１２の別の例として、プレート状のフェース部材を備えたゴルフクラブヘッド１２Ｂを図９に示す。
【００５５】
図９に示されるように、ゴルフクラブヘッド１２Ｂは、プレート状のフェース部材６２と、ヘッド本体６４から構成されている。フェース部材６２は、図２に示されるフェース部２２よりも一回り小さく形成されている。フェース部材６２は、ヘッド本体６４に形成された開口に嵌合しており、フェース部材６２とヘッド本体６４の境界の全周にわたって形成された溶接ビード６６によってヘッド本体６４に固定されている。このゴルフクラブヘッド１２Ｂでは、図２に示されるフェース部２２は、フェース部材６２と、ヘッド本体６４の一部から構成されている。
【００５６】
図９に示されるように、フェース部材６２は、肉厚部７２と、肉厚部７２によって区画された四つの周辺部７４Ｃ，７４Ｓ，７４Ｔ，７４Ｈを有している。
【００５７】
肉厚部７２の中心はゴルフクラブヘッド１２Ｂのスイートスポットに実質的に一致している。肉厚部７２は、ほぼ「Ｈ」字形状をしており、より詳しくは、上端と下端が外に広がった「Ｈ」字形状をしている。
【００５８】
四つの周辺部７４Ｃ，７４Ｓ，７４Ｔ，７４Ｈは、ほぼ「Ｈ」字形状の肉厚部７２によって区画されており、周辺部７４Ｔは肉厚部７２のトゥ側に位置し、周辺部７４Ｈは肉厚部７２のヒール側に位置し、周辺部７４Ｃは肉厚部７２のクラウン側に位置し、周辺部７４Ｓは肉厚部７２のソール側に位置している。
【００５９】
肉厚部７２は、複合リブ構造をしており、複数のリブ８２，８６Ｃ，８６Ｓと、リブ８２，８６Ｃ，８６Ｓの相互間に位置するテーパー部８４Ｃ，８４Ｓと、リブ８２，８６Ｃ，８６Ｓの外側に位置するテーパー部８８Ｃ，８８Ｓ，８８Ｔ，８８Ｈを有している。
【００６０】
リブ８２は、肉厚部７２の輪郭に沿って延びている。すなわち、リブ８２は、肉厚部７２と同様に、ほぼ「Ｈ」字形状、より詳しくは、上端と下端が外に広がった「Ｈ」字形状をしている。したがって、リブ８２は、トゥ・ヒール方向に帯状に延びている水平リブ部８２ａと、水平リブ部８２ａの両端から外側に斜め上方に延びている二つの傾斜リブ部８２ｂと、水平リブ部８２ａの両端から外側に斜め下方に延びている二つの傾斜リブ部８２ｃを有している。
【００６１】
リブ８６Ｃは、リブ８２のクラウン側に位置し、リブ８２に沿って延びている。より詳しくは、リブ８６Ｃは、リブ８２の水平リブ部８２ａと二つの傾斜リブ部８２ｂに沿って延びている。つまり、リブ８６Ｃは、ほぼ「Ｕ」字形状、より詳しくは、上端が外に広がった「Ｕ」字形状をしている。したがって、リブ８６Ｃは、トゥ・ヒール方向に帯状に延びている水平リブ部８６Ｃａと、水平リブ部８６Ｃａの両端から外側に斜め上方に延びている二つの傾斜リブ部８６Ｃｂを有している。水平リブ部８６Ｃａは、水平リブ部８２ａから間隔を置いて、水平リブ部８２ａに実質的に平行に延びている。二つの傾斜リブ部８６Ｃｂは、それぞれ、二つの傾斜リブ部８２ｂから間隔を置いて、二つの傾斜リブ部８２ｂに実質的に平行に延びている。
【００６２】
また、リブ８６Ｓは、リブ８２のソール側に位置し、リブ８２に沿って延びている。より詳しくは、リブ８６Ｓは、リブ８２の水平リブ部８２ａと二つの傾斜リブ部８２ｃに沿って延びている。つまり、リブ８６Ｓは、ほぼ逆「Ｕ」字形状、より詳しくは、下端が外に広がった逆「Ｕ」字形状をしている。したがって、リブ８６Ｓは、トゥ・ヒール方向に帯状に延びている水平リブ部８６Ｓａと、水平リブ部８６Ｓａの両端から外側に斜め下方に延びている二つの傾斜リブ部８６Ｓｂを有している。水平リブ部８６Ｓａは、水平リブ部８２ａから間隔を置いて、水平リブ部８２ａに実質的に平行に延びている。二つの傾斜リブ部８６Ｓｂは、それぞれ、二つの傾斜リブ部８２ｃから間隔を置いて、二つの傾斜リブ部８２ｃに実質的に平行に延びている。
【００６３】
リブ８２，８６Ｃ，８６Ｓとテーパー部８４Ｃ，８４Ｓと周辺部７４Ｃ，７４Ｓ，７４Ｔ，７４Ｈの肉厚は、それぞれ、前述したリブ５２，５６Ｃ，５６Ｓとテーパー部５４Ｃ，５４Ｓ，５８Ｃ，５８Ｓ，５８Ｔ，５８Ｈと周辺部４４Ｃ，４４Ｓ，４４Ｔ，４４Ｈの肉厚と同様に構成されている。
【００６４】
すなわち、リブ８２，８６Ｃ，８６Ｓのそれぞれの肉厚はいずれも、周辺部７４Ｃ，７４Ｓ，７４Ｔ，７４Ｈのそれぞれの肉厚のいずれよりも大きく、リブ８２の肉厚は、リブ８６Ｃ，８６Ｓのそれぞれの肉厚のいずれより小さく、周辺部７４Ｔ，７４Ｈのそれぞれの肉厚のいずれも、周辺部７４Ｃ，７４Ｓのそれぞれの肉厚のいずれよりも小さい。また、リブ８６Ｃの肉厚は、リブ８６Ｓの肉厚に等しいか、それよりも大きく、周辺部７４Ｃの肉厚は、周辺部７４Ｓの肉厚に等しいか、それよりも大きい。
【００６５】
さらに、リブ８２とリブ８６Ｃの肉厚差の絶対値とリブ８２とリブ８６Ｓの肉厚差の絶対値のいずれか大きい方が、リブ８２とトゥ側の周辺部７４Ｔの肉厚差の絶対値とリブ８２とヒール側の周辺部７４Ｈの肉厚差の絶対値のいずれか小さい方よりも小さい。
【００６６】
このゴルフクラブヘッド１２Ｂにおいても、ゴルフクラブヘッド１２Ａと同様の利点が得られる。つまり、クラウン側への打点ずれに対しても、ソール側への打点ずれに対しても、ギヤ効果によるボールの飛距離の低下が小さく抑えられる。
【００６７】
これまで、図面を参照しながら本発明の実施形態を述べたが、本発明は、これらの実施形態に限定されるものではなく、その要旨を逸脱しない範囲において様々な変形や変更が施されてもよい。ここにいう様々な変形や変更は、上述した実施形態を適当に組み合わせた実施も含む。
【符号の説明】
【００６８】
１０…ゴルフクラブ、１２，１２Ａ，１２Ｂ…ゴルフクラブヘッド、１４…シャフト、１６…グリップ、２２…フェース部、２２ａ…フェース面領域、２２ｓ…スコアライン、２４…クラウン部、２６…ソール部、２８…ホーゼル部、３２…フェース部材、３４…ヘッド本体、３６…溶接ビード、４２…肉厚部、４４Ｃ，４４Ｓ，４４Ｔ，４４Ｈ…周辺部、５２…リブ、５２ａ…水平リブ部、５２ｂ，５２ｃ…傾斜リブ部、５４Ｃ，５４Ｓ…テーパー部、５６Ｃ，５６Ｓ…リブ、５６Ｃａ，５６Ｓａ…水平リブ部、５６Ｃｂ，５６Ｓｂ…傾斜リブ部、５８Ｃ，５８Ｓ，５８Ｔ，５８Ｈ…テーパー部、６２…フェース部材、６４…ヘッド本体、６６…溶接ビード、７２…肉厚部、７４Ｃ，７４Ｓ，７４Ｔ，７４Ｈ…周辺部、８２…リブ、８２ａ…水平リブ部、８２ｂ，８２ｃ…傾斜リブ部、８４Ｃ，８４Ｓ…テーパー部、８６Ｃ，８６Ｓ…リブ、８６Ｃａ，８６Ｓａ…水平リブ部、８６Ｃｂ，８６Ｓｂ…傾斜リブ部、８８Ｃ，８８Ｓ，８８Ｔ，８８Ｈ…テーパー部、Ｂ１，Ｂ２…ボール、Ｆ１，Ｆ２，Ｈ１，Ｈ２…回転力、Ｒ１，Ｒ２…矢印、Ｓ１，Ｓ２…バックスピン、ｔ１，ｔ２，ｔ３，ｔ４，ｔ５，ｔ６，ｔ７…肉厚。
【図１】
0005785895.tif 000002
【図２】
0005785895.tif 000003
【図３】
0005785895.tif 000004
【図４】
0005785895.tif 000005
【図５】
0005785895.tif 000006
【図６】
0005785895.tif 000007
【図７】
0005785895.tif 000008
【図８】
0005785895.tif 000009
【図９】
0005785895.tif 000010